(57)【特許請求の範囲】
【請求項１】
圧縮機と、室内熱交換器と、室内ファンと、
前記室内熱交換器の温度を検出する室内熱交換器温度検出手段と、
前記室内ファンを制御する制御手段を備えた空気調和装置であって、
前記制御手段は、
前記空気調和装置の暖房運転起動時に前記圧縮機の起動と同時に前記室内ファンを第１の回転数で運転し、
前記圧縮機を起動した後、前記室内熱交換器温度検出手段の検出値が予め定められた所定温度以上である場合、前記室内ファンを前記第１の回転数よりも大きい第２の回転数で運転し、
前記室内熱交換器温度検出手段の検出値が予め定められた所定温度未満の場合、前記圧縮機の回転数を最大回転数まで上昇させた後前記室内熱交換器温度検出手段の検出値の単位時間当たりの増加量を算出し、前記増加量が所定値以上の場合は、前記室内ファンの現在の回転数を保持し、前記増加量が所定値未満の場合は、前記室内ファンの回転数を所定の回転数だけ増加させることを特徴とする空気調和装置。
【請求項２】
前記室内熱交換器温度検出手段の検出値が予め定められた所定温度未満であって、前記圧縮機の回転数を最大回転数まで上昇させた後所定時間を経過したら前記増加量に関わらず前記室内ファンを前記第２の回転数で運転させることを特徴とする請求項１に記載の空気調和装置。
【発明の詳細な説明】
【技術分野】
【０００１】
本発明は空気調和装置に係り、特に、暖房運転開始時の運転制御に関するものである。
【背景技術】
【０００２】
従来の空気調和装置として、室内熱交換器の温度を検出する室内熱交換器温度センサが設けられ、暖房運転開始時、圧縮機を起動させ、室内熱交換器温度センサの検出値が所定値以上となったら室内ファンの回転数を極低回転から低回転へ上昇させるものがある（例えば、特許文献１）。これにより、室内熱交換器の温度が十分に上昇する前に室内ファンの運転が行われることで生じる冷風の吹出しを防止し、空気調和装置の暖房運転開始時の快適性を向上させている。このような制御を冷風防止制御と呼ぶ。
【０００３】
一つの室外機に室内機を複数台接続したマルチタイプの空気調和装置において、特に室内機と室外機を結ぶ配管が長い場合、冷媒の循環に時間が掛かるため室内熱交換器温度の上昇が遅く中々所定値以上とならない。その結果、室内機から温風を吹出せるようになるまでに時間が掛かってしまう。特許文献１に記載の空気調和装置では、このような問題に対して、圧縮機の運転開始から所定時間が経過したら室内ファンの回転数を上昇させるようにしている。これによって、室内熱交換器温度が所定値以上にならないことから温風吹出しが開始されず暖房の立ち上がりが遅延するという問題を防いでいる。
【０００４】
一方、圧縮機の回転数は起動直後から最大回転数で駆動させると圧縮機内に溜められた冷凍機油が多く吐出されてしまい圧縮機の信頼性が低下してしまう。そのため、圧縮機は起動後低回転数から徐々に回転数を増加させる制御を行っている。
【０００５】
特許文献１に記載の空気調和装置では、圧縮機の運転開始から所定時間が経過したら室内熱交換器温度が所定値以上とならなくても室内ファンの回転数を上昇させているため、ユーザに十分に温まっていない風が当たってしまう。
【０００６】
一方で、所定時間が経過する前に圧縮機の回転数が最大回転数となっていた場合、室内熱交換器の温度が上昇し、ユーザの快適性を損なわない程度に温められた温風を吹き出せる可能性があるが、特許文献１に記載の空気調和装置では、所定時間を経過しなければ室内ファンの回転数を上昇させない。その結果、暖房運転の立ち上がりが遅くなる。
【先行技術文献】
【特許文献】
【０００７】
【特許文献１】特開２００２−１７４４５０号公報
【発明の概要】
【発明が解決しようとする課題】
【０００８】
本願発明は、このような問題を解決するためになされたもので、暖房運転開始時の快適性を向上させ、且つ、暖房の立ち上がりが遅延することを防いだ空気調和装置を提供することを目的とするものである。
【課題を解決するための手段】
【０００９】
本発明の空気調和装置は、圧縮機と、室内熱交換器と、室内ファンと、前記室内熱交換器の温度を検出する室内熱交換器温度検出手段と、前記室内ファンを制御する制御手段を備えた空気調和装置であって、前記制御手段は、前記空気調和装置の暖房運転起動時に前記圧縮機の起動と同時に前記室内ファンを第１の回転数で運転し、前記圧縮機を起動した後、前記室内熱交換器温度検出手段の検出値が予め定められた所定温度以上である場合、前記室内ファンを前記第１の回転数よりも大きい第２の回転数で運転し、前記室内熱交換器温度検出手段の検出値が予め定められた所定温度未満の場合、前記圧縮機の回転数を最大回転数まで上昇させた後前記室内熱交換器温度検出手段の検出値の単位時間当たりの増加量を算出し、前記増加量が所定値以上の場合は、前記室内ファンの現在の回転数 を保持し、前記増加量が所定値未満の場合は、前記室内ファンの回転数を所定の回転数だけ増加させることを特徴としている。
【００１０】
また、好ましくは、前記室内熱交換器温度検出手段の検出値が予め定められた所定温度未満であって、前記圧縮機の回転数を最大回転数まで上昇させた後所定時間を経過したら前記増加量に関わらず前記室内ファンを前記第２の回転数で運転させる。
【発明の効果】
【００１１】
本発明によれば、暖房運転開始時の快適性を向上させ、且つ、暖房の立ち上がり時間を短縮させることができる。
【図面の簡単な説明】
【００１２】
【図１】本実施形態の空気調和装置の冷凍サイクル全体を示す概略図である。
【図２】本発明を実施しない場合の空気調和装置の室内ファン回転数と室内熱交換器温度の変化を示す図である。
【図３】本発明の空気調和装置の制御方法を示すフローチャートである。
【図４】本発明の空気調和装置の制御方法を示すフローチャートである。
【発明を実施するための形態】
【００１３】
以下、本発明の実施の形態を、添付図面に基づいて詳細に説明する。尚、本発明は以下の実施形態に限定されることはなく、本発明の主旨を逸脱しない範囲で種々変形することが可能である。
【実施例１】
【００１４】
図１（Ａ）に示すように、第１実施例における空気調和装置１は、屋外に設置される室外機２と、室外機２に液管４およびガス管５で接続された室内機３とを備えている。詳細には、液管４は、一端が室外機２の閉鎖弁２５に、他端が室内機３の液管接続部３４に接続されている。また、ガス管５は、一端が室外機２の閉鎖弁２６に、他端が室内機３のガス管接続部３５に接続されている。以上により、空気調和装置１の冷媒回路１０が構成されている。
【００１５】
まずは、室外機２について説明する。室外機２は、圧縮機２０と、四方弁２２と、室外熱交換器２３と、液管４の一端が接続された閉鎖弁２５と、ガス管５の一端が接続された閉鎖弁２６と、アキュムレータ２１と、室外ファン２４とを備えている。そして、室外ファン２４を除くこれら各装置が以下で詳述する各冷媒配管で相互に接続されて、冷媒回路１０の一部をなす室外機冷媒回路１０ａを構成している。
【００１６】
圧縮機２０は、図示しないインバータにより回転数が制御されるモータ２０１によって駆動されることで、運転能力を可変できる能力可変型圧縮機である。圧縮機２０の冷媒吐出側は、四方弁２２のポートａに吐出管６１で接続されており、また、圧縮機２０の冷媒吸入側は、アキュムレータ２１の冷媒流出側に吸入管６６で接続されている。
【００１７】
四方弁２２は、冷媒の流れる方向を切り換えるための弁であり、ａ、ｂ、ｃ、ｄの４つのポートを備えている。ポートａは、上述したように圧縮機２０の冷媒吐出側に吐出管６１で接続されている。ポートｂは、室外熱交換器２３の一方の冷媒出入口と冷媒配管６２で接続されている。ポートｃは、アキュムレータ２１の冷媒流入側と冷媒配管６５で接続されている。そして、ポートｄは、閉鎖弁２６と室外機ガス管６４で接続されている。
【００１８】
室外熱交換器２３は、冷媒と、後述する室外ファン２４の回転により室外機２の内部に取り込まれた外気とを熱交換させるものである。室外熱交換器２３の一方の冷媒出入口は、上述したように四方弁２２のポートｂに冷媒配管６２で接続され、他方の冷媒出入口は室外機液管６３で閉鎖弁２５に接続されている。
【００１９】
膨張弁２７は、室外機液管６３に設けられている。膨張弁２７は電子膨張弁である。膨張弁２７の開度制御の詳細な説明は、後述する。
【００２０】
室外ファン２４は樹脂材で形成されており、室外熱交換器２３の近傍に配置されている。室外ファン２４は、図示しないファンモータによって回転することで図示しない吸込口から室外機２の内部へ外気を取り込み、室外熱交換器２３において冷媒と熱交換した外気を図示しない吹出口から室外機２の外部へ放出する。
【００２１】
アキュムレータ２１は、上述したように、冷媒流入側が四方弁２２のポートｃと冷媒配管６５で接続され、冷媒流出側が圧縮機２０の冷媒吸入側と吸入管６６で接続されている。アキュムレータ２１は、冷媒配管６５からアキュムレータ２１内部に流入した冷媒をガス冷媒と液冷媒とに分離してガス冷媒のみを圧縮機２０に吸入させる。
【００２２】
以上説明した構成の他に、室外機２には各種のセンサが設けられている。図１（Ａ）に示すように、吐出管６１には、圧縮機２０から吐出される冷媒の温度を検出する吐出温度センサ７３が設けられている。
【００２３】
室外熱交換器２３には、室外熱交換器２３から流出、または、室外熱交換器２３に流入する冷媒の温度を検知するための室外熱交換器温度センサ７５が設けられている。そして、室外機２の図示しない吸込口付近には、室外機２の内部に流入する外気の温度、すなわち外気温度を検出する外気温度センサ７６が備えられている。
【００２４】
また、室外機２には、室外機制御手段１００が備えられている。室外機制御手段１００は、室外機２の図示しない電装品箱に格納されている制御基板に搭載されている。図１（Ｂ）に示すように、室外機制御手段１００は、ＣＰＵ１１０と、記憶部１２０と、通信部１３０と、検出値入力部１４０と、圧縮機制御部１５０とを備えている。
【００２５】
記憶部１２０は、ＲＯＭやＲＡＭで構成されており、室外機２の制御プログラムや各種センサからの検出信号に対応した検出値、圧縮機２０や室外ファン２４の制御状態等を記憶している。通信部１３０は、室内機３との通信を行うためのインターフェイスである。検出値入力部１４０は、室外機２の各種センサでの検出結果を取り込んでＣＰＵ１１０に出力する。圧縮機制御部１５０は、圧縮機２０に対してユーザに要求された能力を発揮するために必要な回転数で運転するように制御を行う。
【００２６】
ＣＰＵ１１０は、前述した室外機２の各種センサでの検出結果を検出値入力部１４０を介して取り込む。また、ＣＰＵ１１０は、室内機３から送信される制御信号を通信部１３０を介して取り込む。また、ＣＰＵ１１０は、取り込んだ制御信号に基づいて、圧縮機２０や室外ファン２４の駆動制御を行う。さらには、ＣＰＵ１１０は、取り込んだ検出結果や制御信号に基づいて、四方弁２２の切り換え制御を行う。
【００２７】
次に、図１（Ａ）を用いて、室内機３について説明する。室内機３は、室内熱交換器３１と、液管４の他端が接続された液管接続部３４と、ガス管５の他端が接続されたガス管接続部３５と、室内ファン３３とを備えている。そして、室内ファン３３を除くこれら各装置が以下で詳述する各冷媒配管で相互に接続されて、冷媒回路１０の一部をなす室内機冷媒回路１０ｂを構成している。
【００２８】
室内熱交換器３１は、冷媒と後述する室内ファン３３により図示しない吸込口から室内機３の内部に取り込まれた室内空気とを熱交換させるものであり、一方の冷媒出入口が液管接続部３４に室内機液管６８で接続され、他方の冷媒出入口がガス管接続部３５に室内機ガス管６９で接続されている。室内熱交換器３１は、室内機３が冷房運転を行う場合は蒸発器として機能し、室内機３が暖房運転を行う場合は凝縮器として機能する。尚、液管接続部３４やガス管接続部３５では、各冷媒配管が溶接やフレアナット等により接続されている。
【００２９】
室内ファン３３は、室内熱交換器３１の近傍に配置され、図示しないファンモータによって回転することで、図示しない吸込口から室内機３の内部に室内空気を取り込み、室内熱交換器３１において冷媒と熱交換した室内空気を図示しない吹出口から室内へ吹き出す。
【００３０】
以上説明した構成の他に、室内機３には各種のセンサが設けられている。室内熱交換器３１には、室内熱交換器３１を通過する冷媒の温度を検出する室内熱交換器温度センサ７８が設けられている。そして、室内機３には室内空気の温度、すなわち室内温度を検出する室内温度センサ７９が備えられている。室内温度センサ７９の取付位置は、室内機３内部に備える室内熱交換器３１や制御基板（室内機制御手段２００）等の発熱部品から離して配置することが好ましい。また、室内機３に取付ける替わりに図示しないリモコンに取付けてもよい。
【００３１】
また、室内機３には、室内機制御手段２００が備えられている。室内機制御手段２００は、室内機３の図示しない電装品箱に格納されている制御基板に搭載されている。図１（Ｂ）に示すように、室内機制御手段２００は、ＣＰＵ２１０と、記憶部２２０と、通信部２３０と、検出値入力部２４０と、室内ファン制御部２５０とを備えている。
【００３２】
記憶部２２０は、ＲＯＭやＲＡＭで構成されており、室内機３の制御プログラムや各種センサからの検出信号に対応した検出値、室内ファン３３の制御状態等を記憶している。通信部２３０は、室外機２との通信を行うためのインターフェイスである。検出値入力部２４０は、室内機３の各種センサでの検出結果を取り込んでＣＰＵ２１０に出力する。室内ファン制御部２５０は、室内ファン３３に対してユーザに要求された能力を発揮するために必要な回転数で運転するように制御を行う他、後述する冷風防止制御を行う。
【００３３】
ＣＰＵ２１０は、前述した室内機３の各種センサでの検出結果を検出値入力部２４０を介して取り込む。また、ＣＰＵ２１０は、室外機２から送信される制御信号を通信部２３０を介して取り込む。また、ＣＰＵ２１０は、取り込んだ制御信号に基づいて、室内ファン３３の駆動制御を行う。また、ＣＰＵ２１０は図示しない計時手段（タイマＴ）を備えており、後述する冷風防止制御等で用いられる。
【００３４】
次に、本実施形態における空気調和装置１の空調運転時の冷媒回路１０における冷媒の流れや各部の動作について、図１（Ａ）を用いて説明する。尚、以下の説明では、室内機３が暖房運転を行う場合について説明し、冷房運転を行う場合については詳細な説明を省略する。また、図１（Ａ）における矢印は暖房運転時の冷媒の流れを示している。
【００３５】
図１（Ａ）に示すように、室内機３が暖房運転を行う場合、室外機制御手段１００は、四方弁２２を実線で示す状態、すなわち、四方弁２２のポートａとポートｄとが連通するよう、また、ポートｂとポートｃとが連通するよう、切り換える。これにより、室外熱交換器２３が蒸発器として機能するとともに、室内熱交換器３１が凝縮器として機能する。
【００３６】
圧縮機２０から吐出された高圧の冷媒は、吐出管６１を流れて四方弁２２に流入し、四方弁２２から室外機ガス管６４を流れて閉鎖弁２６を介してガス管５に流入する。ガス管５を流れた冷媒はガス管接続部３５を介して室内機３の室内機ガス管６９に流入する。室内機ガス管６９を流れる冷媒は、室内熱交換器３１に流入し、室内ファン３３の回転により室内機３の内部に取り込まれた室内空気と熱交換を行って凝縮する。このように、室内熱交換器３１が凝縮器として機能し、室内熱交換器３１で冷媒と熱交換を行い加熱された室内空気が図示しない吹出口から室内に吹き出されることによって、室内機３が設置された室内の暖房が行われる。室内熱交換器３１から流出した冷媒は室内機液管６８を流れ、液管接続部３４を介して液管４に流入する。
【００３７】
液管４を流れて閉鎖弁２５を介して室外機２に流入した冷媒は、室外機液管６３に設けられた膨張弁２７に流入する。膨張弁２７を通過した冷媒は、減圧されて低圧の冷媒となる。膨張弁２７を通過した冷媒はその後、室外熱交換器２３に流入する。室外熱交換器２３に流入した冷媒は、室外ファン２４の回転により室外機２の内部に取り込まれた外気と熱交換を行って蒸発する。室外熱交換器２３から流出した冷媒は、順に冷媒配管６２、四方弁２２、冷媒配管６５、アキュムレータ２１、吸入管６６を流れ、圧縮機２０に吸入されて再び圧縮される。以上説明したように冷媒回路１０を冷媒が循環することで、空気調和装置１の暖房運転が行われる。
【００３８】
なお、室内機３が冷房運転を行う場合、室外機制御手段１００は、四方弁２２が破線で示す状態、すなわち、四方弁２２のポートａとポートｂとが連通するよう、また、ポートｃとポートｄとが連通するよう、切り換える。これにより、室外熱交換器２３が凝縮器として機能するとともに、室内熱交換器３１が蒸発器として機能する。
【００３９】
次に、空気調和装置１の暖房運転開始時における従来の制御方法について図２を用いて詳細に説明する。
【００４０】
空気調和装置１は、使用者のリモコン操作等によって暖房運転開始指令を受けると、冷媒回路１０内に冷媒を循環させるために圧縮機２０を起動させる。
【００４１】
圧縮機２０を起動させた後、室内熱交換器３１の温度Ｔｃが所定の温度Ｔｃｓとなるまで、室内ファン３３の回転数Ｎを極低回転Ｎ１で運転させる冷風防止制御を行っている。圧縮機２０を起動させた直後から室内ファン３３を運転させている理由は、室内の空気を循環させて室内温度を正確に検出するためであるが、まだ室内熱交換器３１が温まっていないのにも関わらず室内ファン３３を高回転で運転させると、室内機３の吹出口（図示しない）から室内温度に近い冷風が吹出され、ユーザが肌寒く感じてしまう。したがって、極低回転Ｎ１は、室内ファン３３を運転させても室内機３の図示しない吹出口から吹出される風がユーザに届かない程度の低回転としている。図２（ｂ）に示すように、圧縮機２０の起動後、室内熱交換器温度Ｔｃは増加していき、室内熱交換器温度Ｔｃが所定値Ｔｃｓとなったら、室内ファン３３の回転数を極低回転Ｎ１からユーザに要求された能力に応じた回転数（ここではＮ２）に増加する（冷風防止制御の解除）。
【００４２】
この時、圧縮機２０は起動後に低い回転数から室内機制御部２００から要求された能力を発揮するために必要な回転数（暖房運転起動時はおおよそ最大回転数）へ徐々に増加していくように制御される。これは、圧縮機２０の回転数は起動直後から最大回転数で駆動させると圧縮機２０内に溜められた冷凍機油が多く吐出されてしまい圧縮機２０の信頼性が低下してしまうからである。
【００４３】
また、上記の冷風防止制御の解除条件である「室内熱交換器温度Ｔｃが所定値Ｔｃｓ以上」の条件を長時間が経っても満たさない場合の対策として、圧縮機２０の運転開始から所定時間が経過したら室内ファン３３の回転数を上昇させるようにしている。これは、例えば一つの室外機２に室内機３を複数台接続したマルチタイプの空気調和装置において、特に室内機２と室外機３を結ぶ配管が長い場合、冷媒の循環に時間が掛かるため室内熱交換器３１の温度の上昇が遅く中々所定値以上とならず、その結果、室内機３から温風を吹出せるようになるまでに時間が掛かってしまうという問題に対してなされたものである。圧縮機２０の運転開始から所定時間が経過したら室内ファン３３の回転数を上昇させるようにすることで、室内熱交換器温度が所定値以上にならないことから温風吹出しが開始されず暖房の立ち上がりが遅延するという問題を防いでいる。
【００４４】
しかし、上記の制御だと圧縮機２０の運転開始から所定時間が経過したら室内熱交換器温度が所定値以上とならなくても室内ファン３３の回転数を上昇させているため、ユーザに温まっていない風が当たってしまい快適性が低下してしまう。もし、この時の圧縮機２０の回転数が最大回転数でなければ、圧縮機２０の回転数を増加させることで室内熱交換器温度を所定値まで上昇させられる可能性があるので、圧縮機２０の回転数が増加するのを待ってから室内ファン３３の回転数を上昇させればユーザに温まっていない風が当たることなく、快適性を向上させることができる。
【００４５】
したがって、空気調和装置１の暖房運転開始時において、圧縮機２０起動後の室内ファン３３の回転数Ｎを上昇させるタイミングを適切に制御する必要がある。以下に本発明の特徴となる冷風防止制御について詳細に説明する。
【００４６】
図３及び図４は、起動時の空気調和装置１の冷風防止制御を示すフローチャートである。ＳＴの後の数字はステップの番号を、ＹはＹｅｓ、ＮはＮｏをそれぞれ表す。
【００４７】
この制御は、使用者のリモコン操作等によって暖房運転開始の指令を受けることによって開始される。まず、ステップＳＴ１０１で暖房運転を開始し、圧縮機２０を起動させる。なお、圧縮機２０は起動後低回転数から最大回転数まで徐々に回転数を増加させる制御を行っている。続いて、ステップＳＴ１０２で室内ファン３３の回転数Ｎが第１の回転数である極低回転数Ｎ１となるように制御する。極低回転数Ｎ１は、図２に示す従来の制御方法と同様に室内ファン３３を運転させても室内機３の図示しない吹出口から吹出される風がユーザに届かない程度の低回転であって、通常の暖房（及び冷房）運転中は使用しない回転数である。ステップＳＴ１０３では、室内熱交換器温度センサ７８の検出値Ｔｃが室内機制御手段２００に入力される。室内機制御手段２００において、検出値Ｔｃは検出値入力部２４０によってデジタルデータに変換されて室内熱交換器温度センサ７８の検出信号に対応する検出値としてＣＰＵ２１０に入力される。ＣＰＵ２１０は、記憶部２２０に格納された制御プログラムに従い、検出値Ｔｃが所定の温度である所定値Ｔｃｓ以上か否かを判定する（ステップＳＴ１０４）。
【００４８】
ここで所定値Ｔｃｓは、室内ファン３３の回転数Ｎを高回転で運転させても温風を吹出せる程度に室内熱交換器３１が十分に温まったことを判断するために実験等に基づいて予め定められた値である。
【００４９】
ＣＰＵ２１０は、検出値Ｔｃが所定値Ｔｃｓ以上だった場合には（ＳＴ１０４−Ｙ）、冷風防止制御を解除し、室内ファン３３の回転数Ｎを極低回転Ｎ１よりも大きい回転数であってユーザに要求された能力に応じた回転数に上昇させる通常運転に移行する。検出値Ｔｃが所定値Ｔｃｓ未満の場合は（ＳＴ１０４−Ｎ）、ステップＳＴ１０５に移行して圧縮機２０の回転数Ｆが最大回転数Ｆｍａｘであるか否かを判定する（ステップＳＴ１０５）。 
【００５０】
ステップＳＴ１０５で圧縮機２０の回転数Ｆが最大回転数Ｆｍａｘだった場合には（ＳＴ１０５−Ｙ）、ＣＰＵ２１０が備えるタイマＴの計時をスタートさせて（ステップＳＴ１０６）図４のステップＳＴ２０１へ移行する。圧縮機２０の回転数Ｆが最大回転数Ｆｍａｘではなかった場合には（ＳＴ１０５−Ｎ）、ステップＳＴ１０３に戻る。
【００５１】
ステップＳＴ２０１では、室内熱交換器温度センサ７８で室内熱交換器の温度Ｔｃを検出し、その検出値Ｔｃが室内機制御手段２００に入力される。室内機制御手段２００において、検出値Ｔｃは検出値入力部２４０によってデジタルデータに変換されて室内熱交換器温度センサ７８の検出信号に対応する検出値としてＣＰＵ２１０に入力される。ＣＰＵ２１０は、検出値ＴｃをＴｃ０として記憶部２２０に記憶させる（ステップＳＴ２０２）。
【００５２】
続いて、ステップＳＴ２０３でタイマＴの計時時間が制御間隔時間ｔ０（例えば、１分）を経過したか否かを判定し、制御間隔時間ｔ０が経過したらステップＳＴ２０４においてそのときの室内熱交換器温度センサ７８で室内熱交換器の温度Ｔｃを検出し、その検出値Ｔｃが室内機制御手段２００に入力される。室内機制御手段２００において、検出値Ｔｃは検出値入力部２４０によってデジタルデータに変換されて室内熱交換器温度センサ７８の検出信号に対応する検出値としてＣＰＵ２１０に入力される。ＣＰＵ２１０は、検出値ＴｃをＴｃ１として記憶部２２０に記憶させる（ステップＳＴ２０５）。
【００５３】
ＣＰＵ２１０は、記憶部２２０に格納された制御プログラムに従い、単位時間当たり（ｔ０の間）の室内熱交換器温度Ｔｃの増加量（Ｔｃ１−Ｔｃ０／ｔ０）を算出し、その値が所定値α未満か否かを判定する（ステップＳＴ２０６）。ここで、所定値αとは、室内熱交換器温度Ｔｃの増加量がα未満のまま圧縮機２０の回転数Ｆが最大回転数Ｆｍａｘとなってから後述する所定時間ｔｓ１が経過しても、室内熱交換器温度Ｔｃが所定値Ｔｃｓを超えない（中々温度が上昇しない）と予測できる値が設定される。
【００５４】
ｔ０の間の室内熱交換器温度Ｔｃの増加量（Ｔｃ１−Ｔｃ０／ｔ０）が所定値α未満の場合（ＳＴ２０６−Ｙ）、ステップＳＴ２０７で室内ファン３３の回転数Ｎを現在の回転数を所定の回転数ｎだけ増加させた回転数（Ｎ＋ｎ）となるように制御する。したがって、圧縮機２０の回転数が最大であって、室内熱交換器温度Ｔｃが中々上がらない場合に室内ファン３３の回転数を増加させることで、室内熱交換器３１における熱交換量が増加し、これによって暖房能力を上げ、室内熱交換器温度Ｔｃの上昇を促し、室温を上昇させる。その後、ステップＳＴ２０８へ移行する。ステップＳＴ２０６において、ｔ０の間の室内熱交換器温度Ｔｃの増加量（Ｔｃ１−Ｔｃ０／ｔ０）が所定値α以上の場合は（ＳＴ２０６−Ｎ）、ステップＳＴ２０８へ移行する。
【００５５】
ステップＳＴ２０８では、室内熱交換器温度センサ７８で室内熱交換器の温度Ｔｃを検出し、その検出値Ｔｃが室内機制御手段２００に入力される。室内機制御手段２００において、検出値Ｔｃは検出値入力部２４０によってデジタルデータに変換されて室内熱交換器温度センサ７８の検出信号に対応する検出値としてＣＰＵ２１０に入力される。ＣＰＵ２１０は、記憶部２２０に格納された制御プログラムに従い、検出値Ｔｃが所定値Ｔｃｓ以上か否かを判定する（ステップＳＴ２０９）。
【００５６】
ＣＰＵ２１０は、検出値Ｔｃが所定値Ｔｃｓ以上だった場合には（ＳＴ２０９−Ｙ）、ユーザが室内機３から吹出される風を不快に感じない程度に室内熱交換器温度Ｔｃが上昇しているので、冷風防止制御を解除し、室内ファン３３の回転数Ｎをユーザに要求された能力に応じた回転数に上昇させる図３の「通常運転開始」に移行する。検出値Ｔｃが所定値Ｔｃｓ未満の場合は（ＳＴ２０９−Ｎ）、ステップＳＴ２１０へ移行する。
ステップＳＴ２１０では、タイマＴの計時時間ｔが所定時間ｔｓ１以上となったか否かを判定する。計時時間ｔが所定時間ｔｓ１以上となったら（ＳＴ２１０−Ｙ）、冷風防止制御を解除し、室内ファン３３の回転数Ｎをユーザに要求された能力に応じた回転数に上昇させる図３の「通常運転開始」に移行する。これにより、圧縮機２０の運転開始から所定時間ｔｓ１が経過したら室内ファン３３の回転数を上昇させるようにすることで、室内熱交換器温度が所定値以上にならないことから温風吹出しが開始されず暖房の立ち上がりが遅延するという問題を防いでいる。
【００５７】
計時時間ｔが所定時間ｔｓ１未満の場合は（ＳＴ２１０−Ｎ）、ステップＳＴ２０１へ戻る。すなわち、再度ステップＳＴ２０１〜２０６で室内熱交換器温度Ｔｃの増加量が所定値α未満か否かを判定し、所定値α未満であれば室内ファン３３の回転数Ｎを現在の回転数に所定の回転数ｎだけ増加させた回転数（Ｎ＋ｎ）となるように制御する（ステップＳＴ２０７）。これらをステップＳＴ２０９において室内熱交換器温度Ｔｃが所定値Ｔｃｓ以上となるか、若しくはステップＳＴ２１０においてタイマＴの計時時間ｔが所定時間ｔ１以上となるまで繰り返す。
【００５８】
以上のように、本実施形態では圧縮機２０の回転数が最大となってから、室内熱交換器温度Ｔｃの増加量（Ｔｃ１−Ｔｃ０／ｔ０）が所定値α未満か否かを判定し、増加量が所定値α未満の場合は室内ファン３３の回転数Ｎを現在の回転数に所定の回転数ｎだけ増加させた回転数（Ｎ＋ｎ）となるように制御する。したがって、圧縮機２０の回転数が最大であって、室内熱交換器温度Ｔｃが中々上がらない場合に室内ファン３３の回転数を増加させることで、室内熱交換器３１における熱交換量が増加する。これによって、室内熱交換器温度Ｔｃが上昇し、室内熱交換器温度が所定値以上にならないことから温風吹出しが開始されず暖房の立ち上がりが遅延するという問題を改善している。
【符号の説明】
【００５９】
１  空気調和装置
２  室外機
３  室内機
２０  圧縮機
３１  室内熱交換器
３３  室内ファン
【図１】
0006458533.tif 000002
【図２】
0006458533.tif 000003
【図３】
0006458533.tif 000004
【図４】
0006458533.tif 000005